(57)【要約】      （修正有）【課題】防湿・断熱効果を向上させることができる湿気遮断用マットを提供する。【解決手段】湿気遮断用マットは、マット本体を含み、マット本体は、第１の表面層１１、第２の表面層１５および第１の表面層と第２の表面層間に位置する機能層１８を含み、機能層は接着層１４と防湿層１２を含み、接着層は第２の表面層の上に設けられ、防湿層は接着層の上に設けられて第１の表面層の下に位置する。防湿層の設置により、湿気が底部から上へ放出される過程中、防湿層で湿気を遮断して、湿気がマット本体の上方から放出され、マット本体内の湿気が人体へ侵入するかまたは他の衣類に放出されるのを防ぐ。【選択図】図２
0003234167.tif 000002
【実用新案登録請求の範囲】
【請求項１】
マット本体（10）を含み、前記マット本体（10）は、第１の表面層（11）、第２の表面層（15）および前記第１の表面層（11）と前記第２の表面層（15）間に位置する機能層（18）を含み、前記機能層（18）は、接着層（14）と防湿層（12）を少なくとも含み、前記接着層（14）は前記第２の表面層（15）の上に設けられ、前記防湿層（12）は前記接着層（14）の上に設けられて前記第１の表面層（11）の下に位置する、ことを特徴とする湿気遮断用マット。
【請求項２】
前記機能層（18）は、吸湿・放湿層（13）をさらに含み、前記吸湿・放湿層（13）は前記接着層（14）と前記防湿層（12）の間に設けられる、ことを特徴とする請求項1に記載の湿気遮断用マット。
【請求項３】
前記吸湿・放湿層（13）はB型シリカゲルであり、前記B型シリカゲルの孔径は0.1mm〜2mmである、ことを特徴とする請求項2に記載の湿気遮断用マット。
【請求項４】
前記接着層（14）はEVA粉末状ホットメルト接着剤であり、前記防湿層（12）はポリスチレン発泡粒子であり、前記マット本体（10）の熱プレスによって成形される、ことを特徴とする請求項1に記載の湿気遮断用マット。
【請求項５】
前記第１の表面層（11）と前記第２の表面層（15）の前記機能層（18）に向かう側にそれぞれ複数の溝（16）が設けられ、前記溝（16）は、前記第１の表面層（11）または第２の表面層（15）の表面からその内部に窪んで形成され、前記第１の表面層（11）と前記第２の表面層（15）は不織布である、ことを特徴とする請求項1に記載の湿気遮断用マット。
【請求項６】
前記溝（16）の深さは、前記第１の表面層（11）または第２の表面層（15）の厚さの半分である、ことを特徴とする請求項5に記載の湿気遮断用マット。
【請求項７】
前記第２の表面層（15）の外側面に滑り止め突起（17）が設けられ、前記滑り止め突起（17）は、前記第２の表面層（15）の外側面にマトリクス状に配置される、ことを特徴とする請求項1に記載の湿気遮断用マット。
【請求項８】
前記第１の表面層（11）と前記第２の表面層（15）の外側面にそれぞれ滑り止め突起（17）が設けられ、前記滑り止め突起（17）は、前記第１の表面層（11）または第２の表面層（15）の外側面にそれぞれマトリクス状に配置される、ことを特徴とする請求項1に記載の湿気遮断用マット。
【請求項９】
前記マット本体（10）の周りに縁取りストリップ（19）が取り囲んで配置され、前記第１の表面層（11）の上に、防ダニおよび抗菌層（22）が設けられる、ことを特徴とする請求項1に記載の湿気遮断用マット。
【請求項１０】
前記第１の表面層（11）の外面に透明な載置袋（21）が設けられ、前記透明な載置袋（21）内に湿度表示カード（20）が載置される、ことを特徴とする請求項1に記載の湿気遮断用マット。
【考案の詳細な説明】
【技術分野】
【０００１】
本考案は、寝具マットの技術分野に関し、特に湿気遮断用マットに関する。
【背景技術】
【０００２】
中国のある地域では、環境湿度が比較的高いため、生活日用品、例えばクローゼット中の衣類、寝具などの湿気除去は、非常に重要な生活要件である。現在、吸湿に使用されるマットは、その吸湿性能を高めるために２層の繊維層間に乾燥剤と同じ吸湿能力を持つ粒子状シリコンゲルを挟み込む手法が採用されている。この構造のマットは一定の吸湿性と放湿性を持つが、使用するとき、寝具マットで吸収された湿気も容易に逃げ、衣類または人体に入って、人体に過剰な湿気を与え、人々の健康や衣類の快適性に悪影響を与える。
【考案の概要】
【０００３】
本考案の目的は、従来技術における寝具マットで湿気放出を遮断できない技術的問題を解決するための湿気遮断用マットを提供することである。本考案によって提供されるさまざまな技術的解決策中の好ましい技術的解決策で生ずる多くの技術的効果を以下詳細に説明する。
【０００４】
上記の目的を達成するために、本考案は以下の技術的解決策を提供する。
【０００５】
本考案によって提供される湿気遮断用マットは、マット本体を含み、前記マット本体は、第１の表面層、第２の表面層および前記第１の表面層と前記第２の表面層間に位置する機能層を含み、前記機能層は接着層と防湿層を少なくとも含み、前記接着層は前記第２の表面層の上に設けられ、前記防湿層は前記接着層の上に設けられて前記第１の表面層の下に位置する。
【０００６】
好ましい実施形態によれば、前記機能層は吸湿・放湿層をさらに含み、前記吸湿・放湿層は前記接着層と前記防湿層の間に設けられる。
【０００７】
好ましい実施形態によれば、前記吸湿・放湿層はB型シリカゲルであり、前記B型シリカゲルの孔径は0.1mm〜2mmである。
【０００８】
好ましい実施形態によれば、前記接着層はEVA粉末状ホットメルト接着剤であり、前記防湿層はポリスチレン発泡粒子であり、前記マット本体は熱プレスによって成形される。
【０００９】
好ましい実施形態によれば、前記第１の表面層と前記第２の表面層の前記機能層に向かう側にそれぞれ複数の溝が設けられ、前記溝は前記第１の表面層または第２の表面層の表面からその内部に窪んで形成され、前記第１の表面層と前記第２の表面層は不織布である。
【００１０】
好ましい実施形態によれば、前記溝の深さは、前記第１の表面層または第２の表面層厚さの半分である。
【００１１】
好ましい実施形態によれば、前記第２の表面層の外側面に滑り止め突起が設けられ、前記滑り止め突起は、前記第２の表面層の外側面にマトリクス状に配置される。
【００１２】
好ましい実施形態によれば、前記第１の表面層と前記第２の表面層の外側面にそれぞれ滑り止め突起が設けられ、前記滑り止め突起はそれぞれ前記第１の表面層または第２の表面層の外側面にマトリクス状に配置される。
【００１３】
好ましい実施形態によれば、前記マット本体の周りに縁取りストリップが取り囲んで配置され、前記第１の表面層の上に防ダニおよび抗菌層が設けられる。
【００１４】
好ましい実施形態によれば、前記第１の表面層の外面に透明な載置袋が設けられ、前記透明な載置袋内に湿度表示カードが載置される。
【００１５】
上記の技術的解決策に基づいて、本考案の湿気遮断用マットは少なくとも以下の技術的効果を有する。
【００１６】
本考案の湿気遮断用マットはマット本体を含み、マット本体は第１の表面層、第２の表面層および第１の表面層と第２の表面層の間に位置する機能層を含み、機能層は接着層と防湿層を含み、接着層は第２の表面層の上に設けられ、防湿層は接着層の上に設けられて第１の表面層の下に位置する。そのうちに、防湿層は湿気を遮防するために使用され、防湿層の設置により、湿気が底部から上へ放出される過程中に防湿層で遮断され、湿気がマット本体から上方へ排出され、マット本体内の湿気が人体に入るかまたは他の衣類に放出されるのを防ぎ、マット本体の防湿・断熱効果を向上させる。
【図面の簡単な説明】
【００１７】
本考案の実施例または従来技術における技術的解決策をより明確に説明するために、以下、実施例または従来技術説明において使用される必要のある図面を簡単に説明するが、明らかに、以下説明される図面は本考案のいくつかの実施例に過ぎず、当業者であれば、創造的な労働をすることなく、これらの図面に基づいて他の図面を得ることができる。
【図１】本考案の湿気遮断用マットの構造の概略正面図である。
【図２】本考案の湿気遮断用マットの断面図である。
【図３】本考案の湿気遮断用マットの好ましい実施形態の断面図である。
【図４】本考案の湿気遮断用マットの別の好ましい実施形態の断面図である。
【図５】本考案の湿気遮断用マットの別の好ましい実施形態の概略図である。
【考案を実施するための形態】
【００１８】
本考案の目的、技術的解決策、利点をより明確にするために、本考案の技術的解決策を以下に詳細に説明する。明らかに、説明される実施例は、本考案の一部の実施例に過ぎず、すべての実施例ではない。本考案中の実施例に基づいて、当業者が創造的な労働をすることなく得すべての他の実施形態は、本考案の保護範囲に含まれる。
【００１９】
本考案の説明において、特に明記しない限り、「複数」は２つまたは２つ以上を意味し、「上」、「下」、「左」、「右」、「内」、「外」、「前端」、「後端」、「頭」、「尾」などの用語で示される方位または位置関係は、図面に示す方位または位置関係に基づいて、本考案の説明の簡略化と便利性のためのものであり、かかる装置または部品は必ず特定の方位を有し、特定の方位で構成および操作されることを指示または暗示したものではなく、本考案の制限として理解することはできない。さらに、「第１」、「第２」、「第３」などの用語は、説明の目的でのみ使用され、相対的な重要性を指示または暗示したものとして理解することはできない。
【００２０】
本考案の説明において、特に明記や限定しない限り、「取付」、「結合」、「接続」の用語は広義に理解されるべきであり、例えば、固定的に接続してもよく、着脱可能に接続してもよく、または一体的に接続してもよく、機械的に接続してもよく、電気的に接続してもよく、直接に接続してもよく、中間媒体を介して接続してもよい。当業者にとって、具体的な状況に応じて本考案中の上記用語の具体的な意味を理解することができる。
【００２１】
以下、明細書の図面を参照して本考案の技術的解決策を詳細に説明する。
【００２２】
本考案によって提供される湿気遮断用マットは、マット本体10を含み、マット本体10は第１の表面層11、第２の表面層15および第１の表面層11と第２の表面層15間に位置する機能層18を含む。そのうちに、機能層18は接着層14と防湿層12を含み、接着層14は第２の表面層15の上に設けられ、防湿層12は接着層14の上に設けられて第１の表面層11の下に位置する。接着層によって防湿層が第１の表面層と第２の表面層の間に接着されて、防湿層は湿気を遮防するために使用され、湿気が底部から上へ放出される過程中に防湿層で遮断され、湿気がマット本体から上方へ排出され、マット本体内の湿気が人体に入るかまたは他の衣類に放出されるのを防ぎ、マット本体の防湿・断熱効果を向上させる。
【００２３】
好ましくは、図3に示すように、機能層18は吸湿・放湿層13をさらに含み、吸湿・放湿層13は接着層14と防湿層12の間に設けられる。吸湿・放湿層は高湿度環境下で空気中の水分を吸収して乾燥環境下で吸収された水分を放出して、マット本体の自己吸湿と放湿機能を実現する。好ましくは、機能層18は、接着層14、吸湿・放湿層13と防湿層12の熱プレスで成形されてもよく、または機能層18は接着層14と防湿層12の熱プレスで成形されてもよい。好ましくは、接着層14はEVA粉末状ホットメルト接着剤である。本願で使用されるEVA粉末状ホットメルト接着剤は、環境に優しく無臭の接着剤である。好ましくは、吸湿・放湿層13はB型シリカゲルである。B型シリカゲルは吸湿と放湿機能を有する。好ましくは、前記B型シリカゲルの孔径は0.1mm〜2mmである。好ましくは、防湿層12はポリスチレン発泡粒子である。好ましくは、本願ではポリスチレン発泡粒子を加えることで同じ厚さのマット本体の重量を低減し、軽量化の目的を実現することができる。
【００２４】
具体的に製造する時に、まず第２の表面層15の上面にEVA粉末状ホットメルト接着剤を接着層として塗布し、次に接着層の上に防湿層または吸湿・放湿層と防湿層を順次塗布した後、第１の表面層11を機能層の上に重ね、EVA粉末状ホットメルト接着剤を加熱溶融し、熱プレスで処理し、熱プレス過程中に、熱溶融したEVA粉末状ホットメルト接着剤により、B型シリカゲルとポリスチレン発泡粒子が接着され、同時に互い接着されたB型シリカゲルとポリスチレン発泡粒子が第１の表面層11と第２の表面層15に固定される。
【００２５】
好ましくは、図2〜図4に示すように、第１の表面層11と第２の表面層15の機能層18に向かう側にそれぞれ複数の溝16が設けられ、溝16は第１の表面層11または第２の表面層15の表面からその内部に窪んで形成される。好ましくは、溝16の深さは、第１の表面層11または第２の表面層15の厚さの半分である。溝の設置により、第１の表面層または第２の表面層は相対的に薄い部分を形成して第１の表面層と第２の表面層の通気性を向上させる。好ましくは、第１の表面層11と第２の表面層15は不織布である。該不織布は、メルトブローン不織布、スパンレース不織布、ニードルパンチ不織布などが挙げられる。
【００２６】
好ましくは、第２の表面層15の外側面に滑り止め突起17が設けられ、滑り止め突起17は第２の表面層15の外側面にマトリクス状に配置される。滑り止め突起の設置によって、マット本体が移動しにくく、位置をより適切に固定できる。または、好ましくは、第１の表面層11と第２の表面層15の外側面にそれぞれ滑り止め突起17が設けられ、滑り止め突起17はそれぞれ、第１の表面層11または第２の表面層15の外側面にそれぞれマトリクス状に配置される。好ましくは、滑り止め突起の材質はPVC材質またはシリコンゲル材質である。好ましくは、滑り止め突起は全体ドリップ成形および部分ドリップ成形によって形成される。第１の表面層11の外側面に滑り止め突起を設けることで、中間層として使用される場合に外層の滑りが防止される。
【００２７】
好ましくは、マット本体10の周りに縁取りストリップ19が取り囲んで設けられる。縁取りストリップは優れた漏れ防止効果があり、機能層のB型シリカゲルとポリスチレン発泡粒子の漏れを防止することができる。好ましくは、第１の表面層11の上に防ダニおよび抗菌層22が設けられる。該防ダニおよび抗菌層22は、対応する防ダニおよび抗菌薬剤をスプレーすることで形成され、マットの防ダニおよび抗菌機能を高める。
【００２８】
好ましくは、第１の表面層11の外面に透明な載置袋21が配置され、湿度表示カードを固定および載置するために使用される。透明な載置袋21の一側に開口が設けられ、この開口を通じて湿度表示カードを透明な載置袋21内に載置するか、または透明な載置袋21から湿度表示カードを取り出して交換する。湿度表示カードは、マット本体の湿度状況を表示するためのものであり、使用者に乾燥を促し、該湿度表示カードは、吸湿前と吸湿後で異なる色（例えば吸湿前の青、完全に吸湿後のピンク）を設定し、マット本体が完全に吸湿して乾燥する必要があるかどうかを短時間内に判断することができる。
【００２９】
本考案の湿気遮断用マットは、単独で、または掛け布団と寝具マットの中間層として使用され得る。周囲の空気の湿度が比較的高いとき良好な吸湿性能があり、同時に周囲の空気が乾燥したとき放湿機能があり、さらにポリスチレン発泡粒子の防湿層により湿気を遮防し、湿気が上昇して人体に入るのを防止する。マット本体の吸湿性と放湿性を改善すると同時に、マット本体の防湿・断熱効果を高め、マット本体の軽量化を実現する。
【００３０】
以上、本考案の具体的な実施形態を説明したが、本考案の保護範囲はこれに限定されるものではなく、当業者であれば、本考案が開示した技術的範囲内に容易に想到した変更や置換は、すべて本考案の保護範囲に含まれる。したがって、本考案の保護範囲は実用新案登録請求の範囲に従うべきである。
【符号の説明】
【００３１】
10    マット本体
11    第１の表面層
12    防湿層
13    吸湿・放湿層
14    接着層
15    第２の表面層
16    溝
17    滑り止め突起
18    機能層
19    縁取りストリップ
20    湿度表示カード
21    透明な載置袋
22    防ダニ抗菌層
【図１】
0003234167.tif 000003
【図２】
0003234167.tif 000004
【図３】
0003234167.tif 000005
【図４】
0003234167.tif 000006
【図５】
0003234167.tif 000007